(57)【特許請求の範囲】
【請求項１】
車両が所定の走行停止状態になった場合、施錠された前記車両のドアを自動解錠する車両用自動解錠装置であって、
前記所定の走行停止状態になった場合、車両周辺の不審者を監視する監視部と、
該監視部にて不審者が検知された場合、前記ドアの施錠状態を保持し、前記監視部にて不審者が検知されなかった場合、前記ドアを解錠する駆動部と、
前記監視部にて不審者が検知され、前記ドアの施錠状態が保持されている場合、危険を報知する危険状態報知部と
を備え、
前記監視部は、
前記車両周辺の不審者及び障害物を監視しており、
前記危険状態報知部は、
少なくとも前記監視部にて検知された不審者及び障害物の種別を報知する
車両用自動解錠装置。
【請求項２】
前記ドアの解錠操作を検知する解錠操作検知部を備え、
前記駆動部は、
前記所定の走行停止状態で前記ドアの施錠状態が保持されており、前記解錠操作検知部にて解錠操作を検知した場合、前記ドアを解錠する
請求項１に記載の車両用自動解錠装置。
【請求項３】
前記監視部にて不審者が検知されていない場合、安全である旨を報知する安全状態報知部を備える
請求項１又は請求項２に記載の車両用自動解錠装置。
【発明の詳細な説明】
【技術分野】
【０００１】
本発明は、車両が所定の走行停止状態になった場合、施錠された車両のドアを自動解錠する車両用自動解錠装置に関する。
【背景技術】
【０００２】
車両が走行を開始し、一定時間が経過すると車両のドアを自動的に施錠する車両用自動施錠装置が知られている。また、使用者が降車する状況を判定し、ドアを自動的に解錠する車両用自動解錠装置が知られている（例えば、特許文献１）。車両用自動解錠装置は、例えば、自動変速機付き車両のシフトレバーがパーキングポジションにシフトした場合、使用者が降車する可能性があるとして、ドアを自動的に解錠する。かかる車両用自動施錠装置、車両用自動解錠装置によれば、乗車及び降車時における利便性を向上させることができる。
【先行技術文献】
【特許文献】
【０００３】
【特許文献１】特開２００２−４６７７号公報
【発明の概要】
【発明が解決しようとする課題】
【０００４】
ところで、車両を駐車する際、解錠されたドアから不意に不審者が侵入し、犯罪に遭うことがある。従来の車両用自動解錠装置によれば、不審者の有無に拘わらず自動的にドアの解錠が行われるため、保安上の問題があった。
【０００５】
本願の目的は、使用者が降車する可能性がある所定の走行停止状態になった際に車両周辺の不審者を監視し、不審者が存在しないことを確認した上で車両のドアを自動的に解錠することができる車両用自動解錠装置を提供することにある。
【課題を解決するための手段】
【０００６】
本態様に係る車両用自動解錠装置は、車両が所定の走行停止状態になった場合、施錠された前記車両のドアを自動解錠する車両用自動解錠装置であって、前記所定の走行停止状態になった場合、車両周辺の不審者を監視する監視部と、該監視部にて不審者が検知された場合、前記ドアの施錠状態を保持し、前記監視部にて不審者が検知されなかった場合、前記ドアを解錠する駆動部とを備える。
【０００７】
なお、本願は、このような特徴的な処理部を備える車両用自動解錠装置として実現することができるだけでなく、かかる特徴的な処理をステップとする自動解錠方法として実現したり、かかるステップをコンピュータに実行させるためのプログラムとして実現したりすることができる。また、車両用自動解錠装置の一部又は全部を実現する半導体集積回路として実現したり、車両用自動解錠装置を含むその他のシステムとして実現したりすることができる。
【発明の効果】
【０００８】
上記によれば、使用者が降車する可能性がある所定の走行停止状態になった際に車両周辺の不審者を監視し、不審者が存在しないことを確認した上で車両のドアを自動的に解錠することができる車両用自動解錠装置を提供することが可能となる。
【図面の簡単な説明】
【０００９】
【図１】車両用ドア自動解錠システムの一構成例を示す模式図である。
【図２】車両用自動解錠装置の一構成例を示すブロック図である。
【図３】監視装置の一構成例を示すブロック図である。
【図４】自動解錠に係る制御部の処理手順を示すフローチャートである。
【発明を実施するための形態】
【００１０】
［本発明の実施形態の説明］
最初に本発明の実施態様を列記して説明する。また、以下に記載する実施形態の少なくとも一部を任意に組み合わせてもよい。
【００１１】
（１）本態様に係る車両用自動解錠装置は、車両が所定の走行停止状態になった場合、施錠された前記車両のドアを自動解錠する車両用自動解錠装置であって、前記所定の走行停止状態になった場合、車両周辺の不審者を監視する監視部と、該監視部にて不審者が検知された場合、前記ドアの施錠状態を保持し、前記監視部にて不審者が検知されなかった場合、前記ドアを解錠する駆動部とを備える。
【００１２】
本態様によれば、使用者が降車する可能性がある所定の走行停止状態になった場合、監視部は車両周辺を監視する。駆動部は、車両周辺の不審者が検知された場合、ドアが施錠された状態を保持し、不審者が検知されなかった場合、ドアを解錠する。従って、車両用自動解錠装置は、車両周辺に不審者がいないことを確認した上で、車両のドアを自動的に解錠することができる。
【００１３】
（２）前記監視部にて不審者が検知され、前記ドアの施錠状態が保持されている場合、危険を報知する危険状態報知部を備える構成が好ましい。
【００１４】
本態様によれば、危険状態報知部は、所定の走行停止状態において不審者が検知され、ドアの施錠状態が保持された場合、危険を報知する。従って、使用者は、自動解錠機能の故障では無く、車外に何らかの危険があるためにドアの自動解錠が行われていないことを認識することができる。
【００１５】
（３）前記監視部は、前記車両周辺の不審者及び障害物を監視しており、前記危険状態報知部は、少なくとも前記監視部にて検知された不審者及び障害物の種別を報知する構成が好ましい。
【００１６】
本態様によれば、危険状態報知部は、不審者及び障害物の種別を報知する。従って、使用者は、車外にどのような危険があるためにドアの自動解錠が行われていないかを認識することができる。障害物は、例えば、車両のドアを開けた際に、ドアがぶつかりそうな塀、ブロック等である。
【００１７】
（４）前記ドアの解錠操作を検知する解錠操作検知部を備え、前記駆動部は、前記所定の走行停止状態で前記ドアの施錠状態が保持されており、前記解錠操作検知部にて解錠操作を検知した場合、前記ドアを解錠する構成が好ましい。
【００１８】
本態様によれば、不審者が検知され、ドアの施錠状態が保持されている状況にあっても、解錠操作検知部が解錠操作を検知した場合、駆動部は車両のドアを解錠する。従って、使用者が車外の安全を確認できた場合、使用者の意思でドアを解錠することができる。
なお、解錠操作検知部は、例えば運転席のロックスイッチ、各ドアのメカロックスイッチである。
【００１９】
（５）前記監視部にて不審者が検知されていない場合、安全である旨を報知する安全状態報知部を備える構成が好ましい。
【００２０】
本態様によれば、安全状態報知部は、不審者が検知されなかった場合、安全である旨を報知する。従って、使用者は、車外が安全な状態にあり、ドアの自動解錠が行われていることを認識することができる。
【００２１】
［本発明の実施形態の詳細］
本発明の実施形態に係る車両用自動解錠装置１の具体例を、以下に図面を参照しつつ説明する。なお、本発明はこれらの例示に限定されるものではなく、請求の範囲によって示され、請求の範囲と均等の意味及び範囲内でのすべての変更が含まれることが意図される。
【００２２】
図１は、車両用ドア自動解錠システムの一構成例を示す模式図、図２は、車両用自動解錠装置１の一構成例を示すブロック図である。本実施形態に係る車両用ドア自動解錠システムは、車両Ｃに設けられた複数のＬＦ送信アンテナ３及びＲＦ受信アンテナ１ａを用いて各種信号を送受信する車両用自動解錠装置１と、車両周辺の不審者を監視する監視装置２と、該車両用自動解錠装置１との間で該信号を送受信する携帯機４とを備える。
【００２３】
車両用自動解錠装置１は、該車両用自動解錠装置１の各構成部の動作を制御する制御部１１を備える。制御部１１は、例えば一又は複数のＣＰＵ（Central Processing Unit）、マルチコアＣＰＵ等を有するマイコンである。制御部１１には、車載送信部１２、車載受信部１３、記憶部１４、入力部１５、車内通信部１６、計時部１７、駆動部１８及び出力部１９が設けられている。
【００２４】
制御部１１は、記憶部１４に記憶されている後述の制御プログラムを実行することにより、各構成部の動作を制御し、不審者の監視及びドアの自動解錠に係る処理を実行する。
【００２５】
車載送信部１２は複数のＬＦ送信アンテナ３に接続されており、制御部１１の制御に従って、携帯機４の位置検出を行うための検出用信号をＬＦ帯の電波を用いて送信する。複数のＬＦ送信アンテナ３は、例えば、車両Ｃに設けられた各ドア付近に設けられている。
【００２６】
携帯機４は、車載送信部１２から送信された信号を受信するためのＬＦ受信アンテナと、ＵＨＦ帯の電波を用いて車両用自動解錠装置１へ信号を送信するためのＲＦ送信アンテナと、施錠スイッチと、解錠スイッチとを備える。携帯機４は、検出用信号を受信した場合、当該検出用信号の受信信号強度を測定する。そして、携帯機４は、測定して得た受信信号強度を含む応答信号を、ＵＨＦ帯の電波を用いて車両用自動解錠装置１へ送信する。また、携帯機４は、施錠スイッチが操作された場合、施錠操作に係る情報を含む施錠操作信号を車両用自動解錠装置１へ送信する。同様に、携帯機４は、解錠スイッチが操作されえた場合、解錠操作に係る情報を含む解錠操作信号を車両用自動解錠装置１へ送信する。
【００２７】
車載受信部１３はＲＦ受信アンテナ１ａに接続されており、携帯機４からＵＨＦ帯の電波を用いて送信された応答信号、解錠操作信号、施錠操作信号等の各種信号を受信する。受信した信号を制御部１１へ出力する。制御部１１は、車載送信部１２及び車載受信部１３を用いて携帯機４と無線通信を行い、解錠操作信号、施錠操作信号等の受信処理、携帯機４の認証処理、位置検出処理等を実行する。なお、携帯機４の認証及び位置検出等の処理は、専用ＥＣＵにて実行するように構成しても良い。
【００２８】
記憶部１４は、ＥＥＰＲＯＭ（Electrically Erasable Programmable ROM）、フラッシュメモリ等の不揮発性メモリである。記憶部１４は、制御部１１が車両用自動解錠装置１の各構成部の動作を制御することにより、不審者の監視及びドアの自動解錠に係る処理を実行するための制御プログラムを記憶している。
【００２９】
入力部１５には、車速センサ１５ａ、変速段検出スイッチ１５ｂ、イグニッション（ＩＧ）スイッチ１５ｃ、運転席ドアノブスイッチ１５ｄ、集中ロックスイッチ１５ｅが接続されている。
【００３０】
車速センサ１５ａは、例えば車両Ｃに備えられた車軸の回転数に比例した信号を発信する磁気ピックアップ、ホール素子等を備えた非接触センサ、及び該非接触センサからのパルス数を計測する計数回路を備え、パルス数を計測することによって車両Ｃの速度を検出する。車速センサ１５ａにて検出された車速を示す信号は制御部１１に入力されるように構成されており、制御部１１は、入力部１５に入力される当該信号によって、車速を検知する。なお、非接触センサは車速センサ１５ａの一例であり、かかる構造に限定されるものでは無い。例えば、ＧＰＳが検出した車両Ｃの位置の情報を取得し、車両Ｃの位置の変化に基づいて、車両Ｃの速度を検出するように車速センサ１５ａを構成しても良い。
【００３１】
変速段検出スイッチ１５ｂは、車両Ｃに設けられた変速機の変速段を切り替えるシフトレバーのシフトポジションに応じて状態が切り替わるスイッチであり、スイッチの切替状態に応じた信号が制御部１１に入力するように構成されている。制御部１１は、入力部１５に入力された当該信号によって、シフトポジションの位置を検知する。
【００３２】
イグニッションスイッチ１５ｃは、車両Ｃの原動機を始動させるためのスイッチであり、イグニッションスイッチ１５ｃの操作位置に応じた信号が制御部１１に入力するように構成されている。制御部１１は、イグニッションスイッチ１５ｃの操作位置に応じた信号により、原動機の始動、動作中であるか否かを認識することができる。また、スマートスタート（登録商標）システムが搭載されている車両Ｃの場合、スマートスタート（登録商標）ボタンの操作による原動機の動作状態に係る信号を受信し、原動機の動作状態を認識するように構成しても良い。
【００３３】
運転席ドアノブスイッチ１５ｄは、運転席の車室内側のドアノブの操作状態に応じた信号が制御部１１に入力される。制御部１１は、当該信号に基づいて、ドアノブの操作状態を認識することができる。
【００３４】
集中ロックスイッチ１５ｅは、運転席の車室内側に設けられており、車両Ｃの全ドアの施錠及び解錠を集中的に操作するためのスイッチであり、当該スイッチの操作状態に応じた信号が制御部１１に入力される。制御部１１は、当該信号に基づいて、集中ロックスイッチ１５ｅの操作状態を認識することができる。
【００３５】
車内通信部１６は、ＣＡＮ（Controller Area Network）又はＬＩＮ（Local Interconnect Network）等の通信プロトコルに従って通信を行う通信回路であり、監視装置２に接続されている。車内通信部１６は、制御部１１の制御に従って、監視装置２の起動を指示する起動信号、監視装置２の停止を指示する停止信号等を送信する。また、車内通信部１６は、監視装置２から送信された監視結果を受信し、制御部１１は車内通信部１６を介して監視結果を取得する。
【００３６】
計時部１７は制御部１１の制御に従って計時を開始し、計時結果を制御部１１に与える。
【００３７】
駆動部１８は、ドアロック装置１８ａに接続されている。ドアロック装置１８ａは、各ドアの施錠及び解錠を行う施錠機構と、該施錠機構を駆動するアクチュエータとを備える。制御部１１は、集中ロックスイッチ１５ｅが操作された場合、各ドアのアクチュエータへ施錠駆動信号又は解錠駆動信号を出力し、各ドアを施錠し又は解錠する。
【００３８】
出力部１９には、スピーカ１９ａ、室内灯１９ｂ及び表示部１９ｃが接続されている。
室内灯１９ｂは、ドアハンドル又はドアの車室内壁の所定部位に設けられた発光素子、車室内の天井部に設けられたルームランプ等である。また、室内灯１９ｂは、赤色、青色等、発光色を切り替えることができる発光素子を備えると良い。制御部１１は、オン信号及びオフ信号を出力することによって、室内灯１９ｂの点灯及び消灯、並びに灯色を制御する。
スピーカ１９ａ及び表示部１９ｃは、例えばオーディオ及びナビゲーションシステムを構成している。表示部は、液晶ディスプレイ等である。スピーカ１９ａ及び表示部１９ｃは、制御部１１の制御に従って、車両周辺が安全な状況にあること、危険な状況にあることを、音声及び映像にて出力する。また、スピーカ１９ａ及び表示部１９ｃは、危険な状況にある場合、その原因として車両周辺に存在する不審者及び障害物の種別を報知する。
【００３９】
なお、図２においては各種スイッチ及び機器が車両用自動解錠装置１の入力部１５及び出力部１９に直接的に接続されている様に図示しているが、各種スイッチ及び装置は、信号線により直接接続されていても良いし、ＣＡＮ又はＬＩＮ等の車載通信網を介して接続されていても良いし、他のＥＣＵを介して接続されていても良い。
【００４０】
図３は、監視装置２の一構成例を示すブロック図である。監視装置２は、監視制御部２１、車内通信部２２及び入出力部２３を備え、図示しない電源装置から給電されて動作している。監視制御部２１は、例えば一又は複数のＣＰＵ（Central Processing Unit）、マルチコアＣＰＵ等を有するマイコンであり、監視装置２全体の動作を制御している。車内通信部２２の構成は、車内通信部１６と同様であり、監視制御部２１は、車内通信部２２を介して車両用自動解錠装置１と各種信号を送受信する。車両用自動解錠装置１から送信された停止信号を車内通信部２２が受信した場合、監視装置２はスタンバイ状態へ移行し、その主な動作を停止させる。また、車両用自動解錠装置１から送信された起動信号を車内通信部２２が受信した場合、監視装置２はスタンバイ状態から起動し、停止していた動作を再開する。なお、スタンバイ状態は、起動状態に比べて監視装置２の消費電力が低い状態であり、車両用自動解錠装置１から送信される信号を監視する等、車内通信部２２の一部の機能のみが動作している状態である。
【００４１】
入出力部２３には、車載カメラ２３ａ、近接センサ２３ｂ、レーダ２３ｃ及び音センサ２３ｄが接続されており、各機器の動作は監視制御部２１によって制御される。
【００４２】
車載カメラ２３ａは、車両周辺を撮像し、撮像して得た画像データを監視制御部２１へ出力する。車載カメラ２３ａは、単眼カメラ、ステレオカメラのいずれも利用することができる。また、車載カメラ２３ａは、可視光にて不審者を撮像するものであっても良いし、赤外線にて不審者を撮像するものであっても良い。監視制御部２１は、入出力部２３を介して、車載カメラ２３ａから画像データを取得する。
【００４３】
近接センサ２３ｂは、例えば、超音波又は赤外線等によって、車両周辺の不審者及び障害物を検出するセンサであり、検出結果を監視制御部２１へ出力する。近接センサ２３ｂは、車両Ｃの前部若しくは後部の車幅方向両側、又は車両Ｃの前部若しくは後部の車幅方向略中央部に設けられている。なお、クリアランスソナーを、不審者及び障害物を検出する近接センサ２３ｂとして利用すると良い。
【００４４】
レーダ２３ｃは、例えば、ミリ波レーダ、レーザレーダ、超音波レーダ等であり、比較的遠方に存在する不審者及び障害物を検出し、検出結果を監視制御部２１へ出力する。
【００４５】
監視制御部２１は、取得した画像データ、近接センサ２３ｂ、レーダ２３ｃ、音センサ２３ｄの検出結果を解析することによって、車両周辺に存在する不審者、障害物等を識別ないし検出する。不審者及び障害物の識別は、例えばディープラーニングによって行う。ディープラーニングは、機械学習の一種であり、画像及び各センサの検出結果を所定のクラスに分類するものである。監視制御部２１は、車両ドア付近に存在する壁、ブロック等の障害物のオブジェクト画像、不審者のオブジェクト画像、車両周辺に存在する建物、車両等の物体のオブジェクト画像、並びに各オブジェクト画像の移動パターン等を大量に学習し、不審者及び障害物の特徴と、各特徴に対応するクラスとを学習結果として記憶している。監視制御部２１は、取得した画像データ及び各センサの検出結果と、学習結果とに基づいて、検出対象が属するクラスを特定する。クラスの特定によって、検出対象が不審者であるか否か、不審者及び障害物の種別等が特定される。監視制御部２１は、不審者及び障害物の有無、不審者及び障害物の種別等、不審者等に係る検出結果を車内通信部２２にて車両用自動解錠装置１へ送信する。
【００４６】
図４は、自動解錠に係る制御部１１の処理手順を示すフローチャートである。制御部１１は、変速段検出スイッチ１５ｂ、イグニッションスイッチ１５ｃ等から入力部１５に入力される信号に基づいて、所定のアンロック条件を充足するか否かを判定する（ステップＳ１１）。所定のアンロック条件は、本態様（１）に係る所定の走行停止状態に対応する。アンロック条件は、例えば、車速がゼロ、イグニッションスイッチ１５ｃがオフ状態にあって、シフトレバーのシフトポジションがパーキングにある状態である。
また、制御部１１は、車載受信部１３にて携帯機４から送信された解錠操作信号を受信し、携帯機４の認証に成功し、無線通信により携帯機４が車内にあることを検知した場合、所定のアンロック条件を充足すると判定しても良い。
更に、制御部１１は、イグニッションスイッチ１５ｃがオフ状態にあって、運転席ドアノブスイッチ１５ｄにて、運転席のドアノブが操作されたことを検知した場合、所定のアンロック条件を充足すると判定しても良い。
【００４７】
アンロック条件を充足しないと判定した場合（ステップＳ１１：ＮＯ）、制御部１１は、処理をステップＳ１１へ戻す。アンロック条件を充足すると判定した場合（ステップＳ１１：ＹＥＳ）、制御部１１は、車内通信部１６にて起動信号を監視装置２へ送信することによって、監視装置２を起動させ、車両周辺の監視を開始させる（ステップＳ１２）。
【００４８】
次いで、制御部１１は、監視装置２から送信される不審者等に係る検出結果を車内通信部１６にて受信し、該検出結果に基づいて、不審者又は障害物が存在しないか否かを判定する（ステップＳ１３）。なお、ステップＳ１２及びステップＳ１３の処理を実行する制御部１１は、上記態様（１）の監視部に対応する。
不審者及び障害物が存在しないと判定した場合（ステップＳ１３：ＹＥＳ）、制御部１１は、スピーカ１９ａ、室内灯１９ｂ及び表示部１９ｃ等を用いて、車外が安全である旨を報知する（ステップＳ１４）。例えば、スピーカ１９ａにて「ドアを開けてください」の音声を出力する。また、室内灯１９ｂを青色で発光させる。なお、ステップＳ１４の処理を実行する制御部１１は、安全状態報知部に対応する。
そして、制御部１１は、駆動部１８からドアロック装置１８ａへ解錠駆動信号を出力し、車両Ｃの全ドアを解錠させ（ステップＳ１５）、処理を終える。
【００４９】
ステップＳ１３において不審者又は障害物が存在すると判定した場合（ステップＳ１３：ＮＯ）、制御部１１は、スピーカ１９ａ、室内灯１９ｂ及び表示部１９ｃ等を用いて、車外が危険である旨を報知する（ステップＳ１６）。例えば、スピーカ１９ａにて「危険があるため待機してください」の音声を出力する。また、室内灯１９ｂを赤色で発光させる。また、制御部１１は、スピーカ１９ａ、室内灯１９ｂ及び表示部１９ｃ等を用いて、不審者及び障害物の種別を報知する（ステップＳ１７）。例えば、車両周辺の不審者を検知した場合、スピーカ１９ａにて「不審者が存在します」の音声を出力し、障害物を検知した場合、スピーカ１９ａにて「障害物が存在します」等の音声を出力する。
なお、ステップＳ１６及びステップＳ１７の処理を実行する制御部１１は、上記態様（２）及び態様（３）の危険状態報知部に対応する。
【００５０】
次いで、制御部１１は、集中ロックスイッチ１５ｅを用いた手動解錠操作が行われたか否かを判定する（ステップＳ１８）。なお、ステップＳ１８の処理を実行する制御部１１は、態様（４）の解錠操作検知部に対応する。手動解錠操作が行われていないと判定した場合（ステップＳ１８：ＮＯ）、制御部１１は処理をステップＳ１３へ戻す。手動解錠操作が行われたと判定した場合（ステップＳ１８：ＹＥＳ）、制御部１１は、ドアロック装置１８ａにて車両Ｃの全ドアを解錠させ（ステップＳ１５）、処理を終える。
なお、ここでは、集中ロックスイッチ１５ｅにて、ドアの解錠を行う例を説明したが、各ドアに設けられたドアロックメカスイッチが操作された場合、各ドアを解錠するように構成しても良い。
【００５１】
このように構成された、車両用自動解錠装置１によれば、使用者が降車する可能性がある所定の走行停止状態になった際に車両周辺の不審者を監視し、不審者が存在しないことを確認した上で車両のドアを自動的に解錠することができる。従って、車両周辺に注意すること無く、使用者がドアを開けることによって起こる犯罪又は事故を防止することができ、使用者の安全性を向上させることができる。
【００５２】
また、車両用自動解錠装置１は、不審者が検知された場合、ドアの施錠状態を保持すると共に、危険を報知することができる。従って、使用者は、自動解錠機能の故障では無く、車外に何らかの危険があるためにドアの自動解錠が行われていないことを認識することができる。
【００５３】
更に、車両用自動解錠装置１は、不審者及び障害物の種別を報知することができる。従って、使用者は、車外にどのような危険があるためにドアの自動解錠が行われていないかを認識することができる。例えば、使用者は、車両のドアを開けた際にぶつかりそうな障害物が存在するのか、それとも不審な人物が存在するのか、危険の原因を認識することができる。
【００５４】
更にまた、車両用自動解錠装置１は不審者が検知され、ドアの施錠状態が保持されている状況にあっても、集中ロックスイッチ１５ｅの操作によって、ドアを解錠することができる。従って、車両用自動解錠装置１が危険と判断している状況にあっても、使用者が車外の安全を確認できた場合、使用者の意思でドアを解錠することができる。
【００５５】
更にまた、車両用自動解錠装置１は不審者が検知されなかった場合、安全である旨を報知することができる。従って、使用者は、車外が安全な状態にあることを認識することができる。
【符号の説明】
【００５６】
１  車両用自動解錠装置
１ａ  ＲＦ受信アンテナ
２  監視装置
３  ＬＦ送信アンテナ
４  携帯機
１１  制御部
１２  車載送信部
１３  車載受信部
１４  記憶部
１５  入力部
１５ａ  車速センサ
１５ｂ  変速段検出スイッチ
１５ｃ  イグニッションスイッチ
１５ｄ  運転席ドアノブスイッチ
１５ｅ  集中ロックスイッチ
１６  車内通信部
１７  計時部
１８  駆動部
１８ａ  ドアロック装置
１９  出力部
１９ａ  スピーカ
１９ｂ  室内灯
１９ｃ  表示部
２１  監視制御部
２２  車内通信部
２３  入出力部
２３ａ  車載カメラ
２３ｂ  近接センサ
２３ｃ  レーダ
２３ｄ  音センサ
Ｃ  車両
【図１】
0006520760.tif 000002
【図２】
0006520760.tif 000003
【図３】
0006520760.tif 000004
【図４】
0006520760.tif 000005